(57)【要約】【課題】電子書籍に対する他のユーザの評価結果を視認しやすい形態でユーザに提供すること。【解決手段】電子書籍提供サーバは、第１端末の画面のサイズを越える書籍データを含む電子書籍を前記第１端末に送信し、前記書籍データの一部の第１領域に対してなされた第２端末による評価結果を、前記第１端末の画面に表示された領域と前記第１領域との位置関係に基づいて、前記評価結果を反映した画像を用いて、前記第１端末の画面に表示させる。【選択図】図４
2020098243.tif 000002
【特許請求の範囲】
【請求項１】
第１端末の画面のサイズを越える書籍データを含む電子書籍を前記第１端末に送信し、
前記書籍データの一部の第１領域に対してなされた第２端末による評価結果を、前記第１端末の画面に表示された領域と前記第１領域との位置関係に基づいて、前記評価結果を反映した画像を用いて、前記第１端末の画面に表示させる電子書籍提供サーバ。
【請求項２】
アイコンを用いて前記評価結果を表示する、請求項１に記載の電子書籍提供サーバ。
【請求項３】
前記評価結果は、異なる複数の属性で規定されており、
前記属性の異なる複数の前記評価結果の各々に対して、異なる前記アイコンが割り当てられている、請求項２に記載の電子書籍提供サーバ。
【請求項４】
前記書籍データは、一方向において前記第１端末の画面を越える長手を有し、画面スクロールによって前記書籍データの位置が移動可能であり、
前記第１領域に対してなされた前記評価結果を、前記画面スクロールに応じて表示させる、請求項１乃至３のいずれか一に記載の電子書籍提供サーバ。
【請求項５】
前記評価結果は、前記第２端末によって評価がなされた、前記書籍データにおける位置情報を含み、
前記位置情報が前記第１端末の画面の所定の範囲にある場合に、前記位置情報に関連する前記評価結果を表示させる、請求項１乃至４のいずれか一に記載の電子書籍提供サーバ。
【請求項６】
前記第２端末は複数存在し、
複数の前記第２端末による複数の前記評価結果を反映する複数の前記画像は、前記第１端末の画面に順次現れ、順次消える、請求項１乃至５のいずれか一に記載の電子書籍提供サーバ。
【請求項７】
前記第１端末の画面には評価結果表示部が設けられ、
前記複数の前記画像は、前記評価結果表示部の一方の端部から順次現れ、前記評価結果表示部の他方の端部に順次消える、請求項６に記載の電子書籍提供サーバ。
【請求項８】
前記第２端末は複数存在し、
前記第１端末の画面には評価結果表示部が設けられ、
複数の前記第２端末による複数の前記評価結果を反映する複数の前記画像は、前記評価結果表示部の一方の端部から順次現れ、前記評価結果表示部の他方の端部に順次消え、
前記画像が移動する方向は、前記画面スクロールの方向に直交する、請求項４に記載の電子書籍提供サーバ。
【請求項９】
前記評価結果には、前記評価結果の属性に応じて異なる色が割り当てられており、
前記第１端末の画面に表示される前記画像は、複数の前記評価結果が集計された集計結果として表示され、
前記集計結果は、前記評価結果に割り当てられた色に関する情報を含む、請求項１乃至８のいずれか一に記載の電子書籍提供サーバ。
【請求項１０】
異なる内容の前記評価結果には、それぞれ異なる一次属性が割り当てられており、
前記画像は、複数の前記評価結果を集計した結果に基づいて、複数の前記一次属性に基づいて決定された二次属性に関する情報を含む、請求項１乃至９のいずれか一に記載の電子書籍提供サーバ。
【請求項１１】
第１端末に複数のシーンを有する電子書籍を送信し、
前記複数のシーンのうちの１つのシーンにおいてなされた、第２端末による評価結果を、前記評価結果を反映した画像を用いて、前記１つのシーンが表示された前記第１端末の画面に表示させる電子書籍提供サーバ。
【請求項１２】
第１端末の画面のサイズを越える書籍データを含む電子書籍をサーバから受信し、
前記書籍データの一部の第１領域に対してなされた第２端末による評価結果を、前記第１端末の画面に表示された領域と前記第１領域との位置関係に基づいて、前記評価結果を反映した画像を用いて、前記第１端末の画面に表示することをコンピュータに実行させるプログラム。
【請求項１３】
アイコンを用いて前記評価結果を表示する、請求項１２に記載のプログラム。
【請求項１４】
前記評価結果は、異なる複数の属性で規定されており、
前記属性の異なる複数の前記評価結果の各々を、異なる複数の前記アイコンを用いて表示する、請求項１３に記載のプログラム。
【請求項１５】
前記書籍データは、一方向において前記第１端末の画面を越える長手を有し、画面スクロールによって前記書籍データの位置が移動可能であり、
前記第１領域に対してなされた前記評価結果を、前記画面スクロールに応じて表示する、請求項１２乃至１４のいずれか一に記載のプログラム。
【請求項１６】
前記評価結果は、前記第２端末によって評価がなされた、前記書籍データにおける位置情報を含み、
前記位置情報が前記第１端末の画面の所定の範囲にある場合に、前記位置情報に関連する前記評価結果を表示する、請求項１２乃至１５のいずれか一に記載のプログラム。
【請求項１７】
複数の前記第２端末による複数の前記評価結果を反映する複数の前記画像を、前記第１端末の画面に順次出現させ、順次消滅させる、請求項１２乃至１６のいずれか一に記載のプログラム。
【請求項１８】
前記第１端末の画面に評価結果表示部を表示し、
前記複数の前記画像を、前記評価結果表示部の一方の端部から順次出現させ、前記評価結果表示部の他方の端部に順次消滅させる、請求項１７に記載のプログラム。
【請求項１９】
前記第１端末の画面に評価結果表示部を表示し、
複数の前記第２端末による複数の前記評価結果を反映する複数の前記画像を、前記評価結果表示部の一方の端部から順次出現させ、前記画面スクロールの方向に直交する方向に移動させ、前記評価結果表示部の他方の端部に順次消滅させる、請求項１５に記載のプログラム。
【請求項２０】
前記評価結果には、前記評価結果の属性に応じて異なる色が割り当てられており、
前記第１端末の画面に表示される前記画像を、複数の前記評価結果が集計された集計結果として表示し、
前記集計結果を、前記評価結果に割り当てられた色を用いて表示する、請求項１２乃至１９のいずれか一に記載のプログラム。
【請求項２１】
異なる内容の前記評価結果には、それぞれ異なる一次属性が割り当てられており、
前記画像を、複数の前記評価結果を集計した結果に基づいて、複数の前記一次属性に基づいて決定された二次属性として表示する、請求項１２乃至２０のいずれか一に記載のプログラム。
【請求項２２】
第１端末の表示画面に複数のシーンを有する電子書籍を表示し、
前記複数のシーンのうちの１つのシーンにおいてなされた、第２端末による評価結果を、前記評価結果を反映した画像を用いて、前記１つのシーンが表示された前記表示画面に表示することをコンピュータに実行させるプログラム。
【発明の詳細な説明】
【技術分野】
【０００１】
本発明は電子書籍提供サーバ及びプログラムに関する。特に、本発明は、電子書籍におけるある場面に対する他のユーザの評価結果を画像で表示するための電子書籍提供サーバ及びプログラムに関する。
【背景技術】
【０００２】
近年、携帯端末を用いて読むことができる電子書籍が普及している。電子書籍は、携帯端末にダウンロードして読むことができるため、１つの携帯端末を用いて複数の電子書籍を読むことができる。また、電子書籍はウェブ上に保存されており、インターネットを介して携帯端末にダウンロードして読むことができるため、１つの電子書籍を複数のユーザで共有することができる。電子書籍のひとつとして、電子コミックが普及している。電子コミックとして、従来の紙書籍と同様に、画像及び文章を含むコマがページ毎に割り当てられているページ送りタイプの他に、ページという概念がなく、画面をスクロールしながら電子書籍を読むシームレスタイプ（又は、スクロールタイプ）の電子コミックが普及している。
【０００３】
このような電子書籍の特徴を利用して、例えば特許文献１では、電子書籍に付加されたコメントをユーザに提供する際に、ユーザの操作負担を低減するためのグラフィカル（ＧＵＩ）に関する技術が記載されている。特許文献１では、ユーザが付加ＧＵＩボタンを選択することで、画面中に付加情報がテキスト形式で表示される。
【先行技術文献】
【特許文献】
【０００４】
【特許文献１】特開２０１３−５８１０９号公報
【発明の概要】
【発明が解決しようとする課題】
【０００５】
しかしながら、特許文献１の付加情報はコメント形式で表示されるため、例えば複数の他のユーザが入力した付加情報が画面上に表示される場合、ごく一部の他のユーザの付加情報しか見ることができない。又は、電子書籍の上に多量の付加情報が表示されることになるため、電子書籍を閲覧するユーザにとって画面が乱雑になってしまう。
【０００６】
本発明の一実施形態は、上記の課題に鑑みてなされたものであって、電子書籍に対する他のユーザの評価結果を視認しやすい形態でユーザに提供することを課題とする。
【課題を解決するための手段】
【０００７】
本発明の一実施形態にかかる電子書籍提供サーバは、第１端末の画面のサイズを越える書籍データを含む電子書籍を前記第１端末に送信し、前記書籍データの一部の第１領域に対してなされた第２端末による評価結果を、前記第１端末の画面に表示された領域と前記第１領域との位置関係に基づいて、前記評価結果を反映した画像を用いて、前記第１端末の画面に表示させる。
【０００８】
アイコンを用いて前記評価結果を表示してもよい。
【０００９】
前記評価結果は、異なる複数の属性で規定されており、前記属性の異なる複数の前記評価結果の各々に対して、異なる前記アイコンが割り当てられていてもよい。
【００１０】
前記書籍データは、一方向において前記第１端末の画面を越える長手を有し、画面スクロールによって前記書籍データの位置が移動可能であり、前記第１領域に対してなされた前記評価結果を、前記画面スクロールに応じて表示させてもよい。
【００１１】
前記評価結果は、前記第２端末によって評価がなされた、前記書籍データにおける位置情報を含み、前記位置情報が前記第１端末の画面の所定の範囲にある場合に、前記位置情報に関連する前記評価結果を表示させてもよい。
【００１２】
前記第２端末は複数存在し、複数の前記第２端末による複数の前記評価結果を反映する複数の前記画像は、前記第１端末の画面に順次現れ、順次消えてもよい。
【００１３】
前記第１端末の画面には評価結果表示部が設けられ、前記複数の前記画像は、前記評価結果表示部の一方の端部から順次現れ、前記評価結果表示部の他方の端部に順次消えてもよい。
【００１４】
前記第２端末は複数存在し、複数の前記第２端末による複数の前記評価結果を反映する複数の前記画像は、前記評価結果表示部の一方の端部から順次現れ、前記評価結果表示部の他方の端部に順次消え、前記画像が移動する方向は、前記画面スクロールの方向に直交してもよい。
【００１５】
前記評価結果には、前記評価結果の属性に応じて異なる色が割り当てられており、前記第１端末の画面に表示される前記画像は、複数の前記評価結果が集計された集計結果として表示され、前記集計結果は、前記評価結果に割り当てられた色に関する情報を含んでもよい。
【００１６】
異なる内容の前記評価結果には、それぞれ異なる一次属性が割り当てられており、前記画像は、複数の前記評価結果を集計した結果に基づいて、複数の前記一次属性に基づいて決定された二次属性に関する情報を含んでもよい。
【００１７】
本発明の一実施形態にかかる電子書籍提供サーバは、第１端末に複数のシーンを有する電子書籍を送信し、前記複数のシーンのうちの１つのシーンにおいてなされた、第２端末による評価結果を、前記評価結果を反映した画像を用いて、前記１つのシーンが表示された前記第１端末の画面に表示させる。
【００１８】
本発明の一実施形態にかかるプログラムは、第１端末の画面のサイズを越える書籍データを含む電子書籍をサーバから受信し、前記書籍データの一部の第１領域に対してなされた第２端末による評価結果を、前記第１端末の画面に表示された領域と前記第１領域との位置関係に基づいて、前記評価結果を反映した画像を用いて、前記第１端末の画面に表示することをコンピュータに実行させる。
【００１９】
前記評価結果は、異なる複数の属性で規定されており、前記属性の異なる複数の前記評価結果の各々を、異なる複数の前記アイコンを用いて表示してもよい。
【００２０】
前記評価結果は、前記第２端末によって評価がなされた、前記書籍データにおける位置情報を含み、前記位置情報が前記第１端末の画面の所定の範囲にある場合に、前記位置情報に関連する前記評価結果を表示してもよい。
【００２１】
複数の前記第２端末による複数の前記評価結果を反映する複数の前記画像を、前記第１端末の画面に順次出現させ、順次消滅させてもよい。
【００２２】
前記第１端末の画面に評価結果表示部を表示し、前記複数の前記画像を、前記評価結果表示部の一方の端部から順次出現させ、前記評価結果表示部の他方の端部に順次消滅させてもよい。
【００２３】
前記第１端末の画面に評価結果表示部を表示し、複数の前記第２端末による複数の前記評価結果を反映する複数の前記画像を、前記評価結果表示部の一方の端部から順次出現させ、前記画面スクロールの方向に直交する方向に移動させ、前記評価結果表示部の他方の端部に順次消滅させてもよい。
【００２４】
前記評価結果には、前記評価結果の属性に応じて異なる色が割り当てられており、前記第１端末の画面に表示される前記画像を、複数の前記評価結果が集計された集計結果として表示し、前記集計結果を、前記評価結果に割り当てられた色を用いて表示してもよい。
【００２５】
異なる内容の前記評価結果には、それぞれ異なる一次属性が割り当てられており、前記画像を、複数の前記評価結果を集計した結果に基づいて、複数の前記一次属性に基づいて決定された二次属性として表示してもよい。
【００２６】
本発明の一実施形態にかかるプログラムは、第１端末の表示画面に複数のシーンを有する電子書籍を表示し、前記複数のシーンのうちの１つのシーンにおいてなされた、第２端末による評価結果を、前記評価結果を反映した画像を用いて、前記１つのシーンが表示された前記表示画面に表示することをコンピュータに実行させる。
【発明の効果】
【００２７】
本発明の一実施形態によれば、電子書籍に対する他のユーザの評価結果を視認しやすい形態でユーザに提供することができる。
【図面の簡単な説明】
【００２８】
【図１】本発明の一実施形態に係る電子書籍提供システムの概要を示す図である。
【図２Ａ】本発明の一実施形態に係る電子書籍提供システムに用いられるサーバのハードウェア構成を示す概略図である。
【図２Ｂ】本発明の一実施形態に係る電子書籍提供システムに用いられる通信端末のハードウェア構成を示す概略図である。
【図３Ａ】本発明の一実施形態に係る電子書籍提供システムに用いられるサーバの機能構成を示す概略図である。
【図３Ｂ】本発明の一実施形態に係る電子書籍提供システムに用いられる通信端末の機能構成を示す概略図である。
【図４】本発明の一実施形態に係る電子書籍提供システムの動作を示すフローチャートである。
【図５】本発明の一実施形態に係る電子書籍提供システムにおいて、データベースに記憶されるデータの一例を示す図である。
【図６】本発明の一実施形態に係る電子書籍提供システムにおいて、他のユーザの評価結果を、電子書籍を閲覧するユーザに提供する方法を示す図である。
【図７Ａ】本発明の一実施形態に係る電子書籍提供システムにおいて、電子書籍を閲覧するユーザに対して、電子書籍の評価を選択するための手段を提供する方法を示す図である。
【図７Ｂ】本発明の一実施形態に係る電子書籍提供システムにおいて、電子書籍を閲覧するユーザに対して、電子書籍の評価を選択するための手段を提供する方法を示す図である。
【図８】本発明の一実施形態に係る電子書籍提供システムにおいて、電子書籍を閲覧するユーザに対して、電子書籍の評価を選択するための手段を提供する方法を示す図である。
【図９】本発明の一実施形態に係る電子書籍提供システムにおいて、他のユーザの評価結果を、電子書籍を閲覧するユーザに提供する方法を示す図である。
【図１０】本発明の一実施形態に係る電子書籍提供システムにおいて、他のユーザの評価結果を、電子書籍を閲覧するユーザに提供する方法を示す図である。
【図１１】本発明の一実施形態に係る電子書籍提供システムにおいて、他のユーザの評価結果を、電子書籍を閲覧するユーザに提供する方法を示す図である。
【図１２】本発明の一実施形態に係る電子書籍提供システムにおいて、電子書籍を閲覧するユーザに対して、電子書籍の評価を選択するための手段を提供する方法を示す図である。
【図１３】本発明の一実施形態に係る電子書籍提供システムにおいて、電子書籍を閲覧するユーザに対して、電子書籍の評価を選択するための手段を提供する方法を示す図である。
【図１４】本発明の一実施形態に係る電子書籍提供システムにおいて、電子書籍を閲覧するユーザに対して、電子書籍の評価を選択するための手段を提供する方法を示す図である。
【図１５】本発明の一実施形態に係る電子書籍提供システムにおいて、電子書籍を閲覧するユーザに対して、電子書籍の評価を選択するための手段を提供する方法を示す図である。
【図１６】本発明の一実施形態に係る電子書籍提供システムにおいて、電子書籍に対する評価結果の属性を示す図である。
【図１７】本発明の一実施形態に係る電子書籍提供システムにおいて、他のユーザの評価結果を、電子書籍を閲覧するユーザに提供する方法を示す図である。
【図１８】本発明の一実施形態に係る電子書籍提供システムにおいて、他のユーザの評価結果を、電子書籍を閲覧するユーザに提供する方法を示す図である。
【図１９】本発明の一実施形態に係る電子書籍提供システムにおいて、他のユーザの評価結果を、電子書籍を閲覧するユーザに提供する方法を示す図である。
【発明を実施するための形態】
【００２９】
以下、図面を参照して本発明の一実施形態における電子書籍提供システム、並びに、当該システムに用いられる電子書籍提供サーバ、通信端末、及び通信端末に表示されるインターフェースについて説明する。但し、本発明の一実施形態における電子書籍提供システム等は多くの異なる態様で実施することが可能であり、以下に示す例の記載内容に限定して解釈されない。なお、本実施の形態で参照する図面において、同一部分または同様な機能を有する部分には同一の符号又は同一の符号の後にアルファベットを付し、その繰り返しの説明は省略する。
【００３０】
以下の実施形態では、電子書籍提供サーバと通信を行い、電子書籍を表示する通信端末として、携帯通信端末が用いられた構成を例示するが、この構成に限定されない。また、特に技術的な矛盾が生じない限り、異なる実施形態間の技術を組み合わせることができる。
【００３１】
〈第１実施形態〉
図１〜図８を用いて、本発明の第１実施形態に係る電子書籍提供システム１０、電子書籍提供システム１０に用いる電子書籍提供サーバ１００、第１通信端末２００、及び第２通信端末３００、並びに、これらを動作させるためのプログラムについて説明する。第１実施形態に示す電子書籍提供システム１０は、ネットワーク４００を介して電子書籍提供サーバ１００、第１通信端末２００、及び第２通信端末３００が通信可能に接続された構成を有している。
【００３２】
本実施形態において、第１通信端末２００は、電子書籍を閲覧し、第２通信端末３００によって選択された電子書籍に対する評価結果が表示される通信端末である。また、第２通信端末３００は、電子書籍を閲覧し、当該電子書籍に対する評価を選択する通信端末である。詳細は後述するが、第２通信端末３００は、評価する内容が反映された画像を選択することで、電子書籍に対する評価を行う。以下の実施形態では、評価内容を反映する画像として、電子書籍に含まれるシーンに対する読者の感情に関する属性を有する画像が用いられる。複数の第２通信端末３００によってなされた評価結果は、各々の第２通信端末３００によって選択された画像を用いて第１通信端末２００に表示される。説明の便宜上、上記のように第１通信端末２００と第２通信端末３００とを使い分けるが、第１通信端末２００が評価を選択することもでき、第２通信端末３００が評価結果を表示することもできる。
【００３３】
また、本実施形態では、電子書籍として、電子コミックを例示するが、本発明が適用可能な電子書籍は電子コミックに限定されない。例えば、本発明が適用可能な電子書籍は、電子コミック以外の電子書籍（例えば、電子小説、電子雑誌、電子広告など）に適用することができる。電子書籍において、そのコンテンツを示すデータを書籍データという。例えば、電子コミックにおける書籍データはコミックデータである。
【００３４】
当該コミックデータがスクロールタイプのデータの場合、当該コミックデータは一方向に長手を有するイメージデータによって構成される。一方、上記コミックデータがページ送りタイプのデータの場合、当該コミックデータは複数のページ及び各ページに設けられた複数のコマに割り当てられたイメージデータによって構成される。本実施形態で用いられるコミックデータは、例えばキャラクタのセリフなどの文字情報が、キャラクタと共にイメージデータに含まれている。
【００３５】
以下の説明において、第１通信端末２００及び第２通信端末３００は、例えばスマートフォンやタブレット端末などのモバイル用の通信端末である。ただし、上記の構成に限定されない。例えば、第１通信端末２００及び第２通信端末３００が、デスクトップ型パソコン（ＰＣ）などのモバイル用ではない通信端末であってもよい。
【００３６】
［電子書籍提供システム１０の概要］
図１は、本発明の一実施形態に係る電子書籍提供システムの概要を示す図である。図１に示すように、本発明に係る電子書籍提供システム１０は、電子書籍提供サーバ１００、第１通信端末２００、及び第２通信端末３００を有する。電子書籍提供サーバ１００は情報処理装置である。第１通信端末２００及び第２通信端末３００はモバイル用の通信端末である。電子書籍提供サーバ１００はデータベース１０２に接続されている。
【００３７】
電子書籍提供サーバ１００は、第１通信端末２００及び第２通信端末３００に対して、コミックデータを提供する。電子書籍提供サーバ１００は、当該コミックデータに対して、第２通信端末３００によってなされた評価結果、及び評価がなされたコミックデータにおける評価位置情報を受信し、コミックデータと受信した評価結果及び評価位置情報とを互いに関連付けて保存する。電子書籍提供サーバ１００は、評価結果及び評価位置情報が関連付けられたコミックデータを第１通信端末２００に提供する。そして、第１通信端末２００でコミックデータを閲覧した場合に、第２通信端末３００によってなされた評価結果が、コミックデータにおける評価位置情報に基づく位置で、第１通信端末２００の画面上に表示される。
【００３８】
データベース１０２は、上記のコミックデータ、評価結果、及び評価位置情報を記憶している。コミックデータ、評価結果、及び評価位置情報は、データベース１０２において互いに関連付けられている。
【００３９】
電子書籍提供サーバ１００、第１通信端末２００、及び第２通信端末３００はそれぞれネットワーク４００に接続されている。本実施形態では、ネットワーク４００は一般的なＷｏｒｌｄ  Ｗｉｄｅ  Ｗｅｂ（ＷＷＷ）サービスによって提供されるインターネット、ＷＡＮ（Ｗｉｄｅ  Ａｒｅａ  Ｎｅｔｗｏｒｋ）、又は社内ＬＡＮなどのＬＡＮ（Ｌｏｃａｌ  Ａｒｅａ  Ｎｅｔｗｏｒｋ）である。第１通信端末２００及び第２通信端末３００は、ネットワーク４００を介して電子書籍提供サーバ１００と通信する。
【００４０】
図１では、データベース１０２が電子書籍提供サーバ１００に直接接続された構成を例示したが、この構成に限定されない。例えば、データベース１０２が直接ネットワーク４００に接続され、電子書籍提供サーバ１００とデータベース１０２との間のデータの送受信がネットワーク４００を介して行われていてもよい。
【００４１】
［電子書籍提供サーバ１００のハードウェア構成］
図２Ａは、本発明の一実施形態に係る電子書籍提供システムに用いられるサーバのハードウェア構成を示す概略図である。図２Ａに示すように、電子書籍提供サーバ１００は、サーバ制御部１１０、サーバ記憶部１２０、およびサーバ通信部１３０を有する。
【００４２】
サーバ制御部１１０は、中央演算処理装置（ＣＰＵ：Ｃｅｎｔｒａｌ  Ｐｒｏｃｅｓｓｉｎｇ  Ｕｎｉｔ）、当該ＣＰＵに接続されたレジスタやメモリなどの記憶装置を含む。サーバ制御部１１０は、メモリに一時的に記憶されたプログラムをＣＰＵによって実行し、第１通信端末２００及び第２通信端末３００からの各種要請信号に応じて演算処理を行い、これらの通信端末にコンテンツデータを提供する。
【００４３】
サーバ記憶部１２０は大容量のデータを記憶することができる記憶装置である。サーバ記憶部１２０には、演算処理に必要なプログラム及びコンテンツデータなどが記憶されている。サーバ記憶部１２０に記憶されているプログラムは、サーバ制御部１１０によって読み出しされ、サーバ制御部１１０の記憶装置に一時的に記憶される。サーバ記憶部１２０はハードディスクであってもよく、揮発性または不揮発性のメモリであってもよい。なお、上記のサーバ記憶部１２０に記憶される情報は、サーバ記憶部１２０の代わりにデータベース１０２に記憶されてもよい。なお、本実施形態では、コミックデータ、評価結果、及び評価位置情報は、データベース１０２に記憶されているが、これらのデータがサーバ記憶部１２０に記憶されていてもよい。
【００４４】
サーバ通信部１３０は、外部機器に対してデータを送受信可能に接続することができる制御装置であり、ネットワーク４００に対するデータの送受信を制御する。
【００４５】
［第１通信端末２００及び第２通信端末３００のハードウェア構成］
図２Ｂは、本発明の一実施形態に係る電子書籍提供システムに用いられる通信端末のハードウェア構成を示す概略図である。なお、本実施形態における第１通信端末２００及び第２通信端末３００のハードウェア構成にほとんど差はないため、両者を代表して第１通信端末２００の構成について説明する。図２Ｂに示すように、第１通信端末２００は、端末記憶部２１０、端末制御部２２０、端末通信部２３０、ディスプレイ２４０、操作ボタン２５０、カメラ２６０、スピーカ２７０、及びマイク２８０を有する。なお、第２通信端末３００も上記と同様のハードウェア構成を有する。以下の説明において、第２通信端末３００のディスプレイをディスプレイ３４０という。
【００４６】
端末記憶部２１０は、第１通信端末２００に特定の機能を実行させるためのプログラム、評価結果及び評価位置情報が関連付けられたコミックデータ、及び第１通信端末２００を所有するユーザの端末情報等のデータを記憶する。端末記憶部２１０として、フラッシュメモリ等の不揮発性メモリおよびＳＲＡＭ、ＤＲＡＭ等の揮発性メモリが用いられる。プログラム等のデータは不揮発性メモリに記憶され、プログラムを実行する際に不揮発性メモリから読み出されて揮発性メモリに一時的に記憶される。
【００４７】
端末制御部２２０は、ＣＰＵなどの演算回路や、当該ＣＰＵに接続されたメモリ及びレジスタなどの記憶回路を有する。端末制御部２２０は、端末記憶部２１０に記憶されたプログラムをＣＰＵによって実行し、第１通信端末２００に入力された命令信号に応じて、第１通信端末２００の各種機能を実現する。
【００４８】
端末通信部２３０は、外部機器に対してデータを送受信可能に接続することができる制御装置であり、ネットワーク４００に対するデータの送受信を制御する。また、端末通信部２３０は全地球測位システム（Ｇｌｏｂａｌ  Ｐｏｓｉｔｉｏｎｉｎｇ  Ｓｙｓｔｅｍ；ＧＰＳ）機能を有している。ＧＰＳ機能は第１通信端末２００のネイティブ機能の一つである。ＧＰＳ機能を有効にするアプリケーションを起動すると、端末通信部２３０は上空の衛星からの信号を受信し、第１通信端末２００の現在位置を知ることができる。
【００４９】
ディスプレイ２４０として、液晶ディスプレイ及び有機ＥＬディスプレイなどのディスプレイを用いることができる。また、ディスプレイ２４０はタッチセンサを有している。タッチセンサは、抵抗膜方式、静電容量方式、光学式のセンサなどを使用することができる。タッチセンサは、ユーザによる画面操作を検知し、ユーザの操作に基づく検知信号を端末制御部２２０に送信する。本実施形態では、ディスプレイ２４０に設けられたタッチセンサを用いて、画面のスクロール及びアイコンの選択などの操作を行う。
【００５０】
操作ボタン２５０は、ディスプレイ２４０の下方に設けられている。操作ボタン２５０は物理的なボタンであってもよく、上記のようなタッチセンサであってもよい。ディスプレイ２４０のタッチセンサに代えて、操作ボタン２５０を用いて画面のスクロール及びアイコンの選択などの操作を行ってもよい。
【００５１】
図２Ｂでは、第１通信端末２００がカメラ２６０、スピーカ２７０、及びマイク２８０を有する構成を例示したが、この構成に限定されない。必要がなければ、これらの構成は省略されてもよい。
【００５２】
図２Ｂでは、第１通信端末２００及び第２通信端末３００の一例として、スマートフォンを示したが、電子書籍提供システム１０に用いるこれらの通信端末はスマートフォンに限定されない。電子書籍提供システム１０に用いる通信端末として、スマートフォン以外にも携帯電話、タブレットＰＣ、ＰＤＡ、ＰＨＳ、ノート型ＰＣ、デスクトップ型ＰＣなどが用いられてもよい。
【００５３】
［電子書籍提供サーバ１００の機能構成］
図３Ａは、本発明の一実施形態に係る電子書籍提供システムに用いられるサーバの機能構成を示す概略図である。図３Ａに示すように、電子書籍提供サーバ１００は、コミックデータ提供部１５１、評価選択手段提供部１５３、評価結果受信部１５５、評価位置検知部１５７、及び評価結果表示部１５９を有する。電子書籍提供サーバ１００のサーバ制御部１１０（例えばＣＰＵ）が、サーバ記憶部１２０に記憶されたプログラムを実行することで、上記の各機能部の機能が実現される。なお、本実施形態では、１つの電子書籍提供サーバ１００に上記の全ての機能部が含まれる構成を例示したが、この構成に限定されない。例えば、これらの機能部が異なるサーバに設けられ、これらのサーバが協働することで電子書籍提供システム１０の機能が実現されてもよい。
【００５４】
コミックデータ提供部１５１は、第１通信端末２００及び第２通信端末３００にコミックデータを提供する。コミックデータは、一方向に長手を有するイメージデータであり、各々の通信端末の画面上でスクロール移動されることで、イメージデータに含まれる複数のシーンを閲覧することができる。つまり、コミックデータは第１通信端末２００及び第２通信端末３００の各々の画面のサイズを越えるデータである。これらの通信端末にはコミックデータの一部だけが表示されており、画面内においてコミックデータをスクロール移動することで、コミックデータの全てを閲覧することができる。
【００５５】
評価選択手段提供部１５３は、コミックデータに対する評価を選択可能なインターフェースを第２通信端末３００に提供する。詳細は後述するが、当該インターフェースでは、評価する内容を反映した画像（例えばアイコン）が表示される。ユーザが第２通信端末３００に表示された画像を選択することで、評価を行うことができる。
【００５６】
評価選択手段提供部１５３は、第２通信端末３００による評価の選択方法によって機能が異なる。例えば、コミックデータに含まれるあるシーンが所定の位置に達する、又は所定の範囲内にあるときに、第２通信端末３００に対して評価を選択させる場合、評価選択手段提供部１５３は、第２通信端末３００によって表示されているシーンを特定するための位置情報を取得する。そして、当該位置情報に基づいて、評価を選択可能なインターフェースを第２通信端末３００に提供する。一方、第２通信端末３００によって所定の操作が行われたときに、第２通信端末３００に対して評価を選択させる場合、評価選択手段提供部１５３は、第２通信端末３００による操作信号を取得する。そして、当該操作信号に基づいて、評価を選択可能なインターフェースを第２通信端末３００に提供する。なお、評価選択手段提供部１５３は、上記操作信号に応じて異なるインターフェースを提供してもよい。
【００５７】
評価結果受信部１５５は、第２通信端末３００によって選択された評価結果を受信する。つまり、評価結果受信部１５５は、評価選択手段提供部１５３によって提供された画像のうち、第２通信端末３００によって選択された画像の情報（評価結果）を受信する。なお、評価結果受信部１５５は、評価結果の他に、評価日時、評価を行った第２通信端末３００のＩＤ又は第２通信端末３００を使用するユーザのＩＤ、及び評価が行われたときの第２通信端末３００のＧＰＳにおける位置情報などを受信してもよい。
【００５８】
評価位置検知部１５７は、第２通信端末３００によって上記画像が選択された、コミックデータにおける位置を示す情報（評価位置情報）を受信する。詳細は後述するが、上記画像が選択されたタイミングにおいて、第２通信端末３００の画面に表示されたコミックデータの任意の点に関連する位置情報を、評価位置情報として採用することができる。若しくは、上記画像が選択される前又は後に、画像の選択とは別に指定されたコミックデータ上の任意の点を、評価位置情報として採用してもよい。なお、コミックデータにおける各シーンに対して識別子が設けられている場合、評価位置検知部１５７は、評価位置情報に代えて、評価対象のシーンを特定する識別子を受信してもよい。
【００５９】
評価結果受信部１５５が受信した評価結果、及び評価位置検知部１５７が受信した評価位置情報は、コミックデータと関連付けられてデータベース１０２に記憶される。表示結果及び評価位置情報が関連付けられたコミックデータは、コミックデータ提供部１５１によって第１通信端末２００に送信される。また、評価結果受信部１５５が評価日時、第２通信端末３００のＩＤ又は第２通信端末３００を使用するユーザのＩＤ、及び評価が行われたときの第２通信端末３００のＧＰＳにおける位置情報を受信する場合は、これらの情報もコミックデータ、評価結果、及び評価位置情報と関連付けられてデータベース１０２に記憶される。
【００６０】
評価結果表示部１５９は、第１通信端末２００において表示されるコミックデータの表示位置情報を検知する機能、並びに、当該表示位置情報及び上記評価位置情報に基づいて、上記評価結果を第１通信端末２００のディスプレイ２４０に表示する機能を第１通信端末２００に提供する。詳細は後述するが、当該評価結果は、評価の内容を反映した画像を用いて表示される。上記の構成を換言すると、評価結果表示部１５９は、コミックデータの一部の第１領域に対してなされた第２通信端末３００の評価結果を、第１通信端末２００の画面に表示された領域と前記第１領域との位置関係に基づいて、その評価結果を反映した画像を用いて第１通信端末２００の画面に表示させる。
【００６１】
ここで、コミックデータに含まれるある１つのシーンに対して複数の評価結果が存在する場合は、複数の評価結果を順次又はまとめて第１通信端末２００に表示させる。複数の評価結果を第１通信端末２００に順次表示させる場合、評価日時、第１通信端末２００及び第２通信端末３００のＧＰＳにおける相対的な位置関係、第１通信端末２００のＩＤ及び第２通信端末３００のＩＤの関係、又は第１通信端末２００を使用するユーザのＩＤ及び第２通信端末３００を使用するユーザのＩＤの関係に基づいて決定された順序で複数の評価結果を順次第１通信端末２００に表示してもよい。
【００６２】
例えば、評価日時の時系列順に評価結果を表示してもよい。また、コミックデータを閲覧する第１通信端末２００の位置と、第２通信端末３００がコミックデータに対して評価を行った位置とが近い順に評価結果を表示してもよい。この場合、第１通信端末２００の位置情報、及び第２通信端末３００によって評価が行われた位置情報のそれぞれが、市、県、及び国のように区域に関する情報を有しており、両者の位置情報に含まれる区域（市、県、及び国）に基づいて評価結果を表示してもよい。つまり、市、県、及び国などの区域単位で第１通信端末２００の位置と、第２通信端末３００によって評価が行われた位置との近さを判断してもよい。例えば、まずは第１通信端末２００が位置する「市」と同じ「市」で行われた評価結果を表示し、次に第１通信端末２００が位置する「市」に隣接する「市」で行われた評価結果を表示し、次に第１通信端末２００が位置する「県」と同じ「県」で行われ、まだ表示されていない評価結果を表示してもよい。なお、表示結果を表示する第１通信端末２００において、上記の区域に基づいて設定された評価結果だけを表示してもよい。例えば、第１通信端末２００において、上記の区域として「県」を設定した場合、第１通信端末２００と同じ県、又はその県に隣接する県で行われた評価結果だけが第１通信端末２００に表示されてもよい。なお、上記のように区域単位で評価結果を表示する場合、現在表示されている評価結果の評価が行われた区域に関する情報を評価結果と共に表示してもよい。
【００６３】
また、各端末のＩＤ又は各端末を使用するユーザＩＤに関連付けられた個人情報のうち、共通項目が多い順に評価結果を表示してもよい。例えば、上記の個人情報として、性別及び年齢などの情報が当該サービスによって管理されており、第１通信端末２００を使用するユーザの性別及び年齢などの情報の少なくともいずれか１つと同じ又は近いユーザによって行われた評価結果を優先的に第１通信端末２００で表示してもよい。また、複数の評価結果を第１通信端末２００にまとめて表示する場合、評価結果表示部１５９は、複数の評価結果に対する演算処理を行い、その結果を第１通信端末２００に表示してもよい。
【００６４】
［第１通信端末２００及び第２通信端末３００の機能構成］
図３Ｂは、本発明の一実施形態に係る電子書籍提供システムに用いられる通信端末の機能構成を示す概略図である。なお、本実施形態における第１通信端末２００及び第２通信端末３００の機能構成にほとんど差はないため、両者を代表して第１通信端末２００の構成について説明する。図３Ｂに示すように、第１通信端末２００は、表示部２９１、スクロール制御部２９３、及び評価結果受付部２９５を有する。なお、第２通信端末３００も上記と同様の機能構成を有する。
【００６５】
表示部２９１は、電子書籍提供サーバ１００から受信した各種情報をディスプレイ２４０に表示する。具体的には、表示部２９１は、コミックデータ提供部１５１から受信したコミックデータ、評価選択手段提供部１５３によって提供されたインターフェース、及び評価結果表示部１５９から受信した評価結果をディスプレイ２４０に表示する。
【００６６】
スクロール制御部２９３は、ディスプレイ２４０に表示されるコミックデータのスクロール動作を制御する。例えば、ディスプレイ２４０にタッチセンサが備えられている場合、ユーザが指などでディスプレイ２４０にタッチした状態でスワイプすることで、スワイプした方向にコミックデータをスクロールすることができる。スクロール制御部２９３は、コミックデータがスクロール動作したときに、表示部２９１によって表示されている領域のコミックデータにおける位置情報を検知し、当該位置情報を評価選択手段提供部１５３、評価位置検知部１５７、及び評価結果表示部１５９に送信する。
【００６７】
評価結果受付部２９５は、インターフェースを介して選択されたユーザの評価を受け付ける。評価結果受付部２９５は、評価選択手段提供部１５３によって提供されたインターフェースに表示された画像のうち、第２通信端末３００によって選択された画像を判定し、選択された画像に関連付けられた評価結果を評価結果受信部１５５に送信する。このとき、評価結果受付部２９５は、ユーザによって画像が選択されたときの、コミックデータにおける位置を解析し、当該解析によって得られた評価位置情報を評価位置検知部１５７に送信する。
【００６８】
［電子書籍提供システムの動作］
図４を用いて、電子書籍提供システム１０の動作について説明する。図４は、本発明の一実施形態に係る電子書籍提供システムの動作を示すフローチャートである。
【００６９】
まず、第２通信端末３００によるコミックデータ要求に応じて、電子書籍提供サーバ１００から第２通信端末３００にコミックデータが提供される（ステップＳ９０１）。例えば、第２通信端末３００がコミックを閲覧するアプリケーションソフトを起動し、対象のコミックが選択されたときに、第２通信端末３００から電子書籍提供サーバ１００にコミックデータ要求が送信される。電子書籍提供サーバ１００は、コミックデータを提供する際に、コミックデータに対する評価を選択可能なインターフェースを、コミックデータと共に第２通信端末３００に提供する。
【００７０】
第２通信端末３００によって受信されたコミックデータ及びインターフェースは、第２通信端末３００の画面に表示される（ステップＳ９７１）。
【００７１】
第２通信端末３００を操作するユーザは、表示画面をスクロール移動しながらコミックデータを閲覧し、提供されたインターフェースを利用してコミックデータに含まれるシーンに対する評価を行う（ステップＳ９７３）。この評価の際、第２通信端末３００の画面には、評価する内容を反映した画像が複数表示される。第２通信端末３００によって、これらの複数の画像から１つの画像が選択されることで評価が行われる。
【００７２】
ステップＳ９７３で第２通信端末３００による評価が行われると、選択された画像に関連する評価結果、及び当該画像が選択された位置を示す評価位置情報が、第２通信端末３００から送信され、電子書籍提供サーバ１００によって受信される（ステップＳ９０３）。
【００７３】
ステップＳ９０３で受信された評価結果及び評価位置情報は、コミックデータと関連付けられて、データベース１０２に記憶される（ステップＳ９０５）。このステップで、第２通信端末３００によってなされた評価結果が付加されたコミックデータが完成する。
【００７４】
第１通信端末２００によるコミックデータ要求に応じて、評価結果及び評価位置情報が付加されたコミックデータが、電子書籍提供サーバ１００から第１通信端末２００に提供される（ステップＳ９０７）。例えば、第１通信端末２００がコミックを閲覧するアプリケーションソフトを起動し、対象のコミックが選択されたときに、第１通信端末２００から電子書籍提供サーバ１００にコミックデータ要求が送信される。つまり、第１通信端末２００が電子書籍提供サーバ１００から受信する評価結果及び評価位置情報は、第１通信端末２００が電子書籍提供サーバ１００からコミックデータを受信した時点よりも前になされた評価結果及び評価位置情報である。なお、第１通信端末２００が、コミックの閲覧を中断し、再度コミックの閲覧を開始したとき、又は第１通信端末２００がコミックデータの更新をしたときに、その時点における評価結果及び評価位置情報を受信する。
【００７５】
そして、第１通信端末２００によって受信された、評価結果を含むコミックデータが、第１通信端末２００の画面に表示される（ステップＳ９３１）。第１通信端末２００によって表示されるコミックデータの位置情報と上記評価位置情報との関係に基づいて、第１通信端末２００の画面上に評価結果が表示される。詳細は後述するが、第２通信端末３００によって評価が行われた評価位置情報が、コミックデータのうち、第１通信端末２００によって表示されている領域に含まれる場合に、当該第２通信端末３００によって選択された評価結果が第１通信端末２００の画面上に表示される。
【００７６】
図５は、本発明の一実施形態に係る電子書籍提供システムにおいて、データベースに記憶されるデータの一例を示す図である。図５に示すデータは、ステップＳ９０５でデータベース１０２に記憶される評価データ１０１の一例である。図５に示すように、評価データ１０１は、コミック識別子１０３、評価結果１０４、評価位置情報１０５、評価日時１０６、端末ＩＤ１０７、及びＧＰＳ情報１０８の項目を有している。コミック識別子１０３は、評価対象のコミックを識別するための情報である。評価結果１０４は、第２通信端末３００によって評価された評価結果を示す情報である。評価位置情報１０５は、評価がなされたコミックデータにおける位置を示す情報である。
【００７７】
本実施形態では、コミックデータが縦方向にスクロール移動するため、評価位置情報１０５にはｙ座標のみが示されている。評価日時１０６は、評価が行われた日時を示すデータである。端末ＩＤ１０７は、評価を行った第２通信端末３００を特定するＩＤである。端末１０７に代えて端末を操作するユーザのＩＤを記憶してもよい。ＧＰＳ情報１０８は、評価が行われたときの端末の位置を示すＧＰＳ情報である。なお、本実施形態において、評価データ１０１は、上記の項目のうち少なくともコミック識別子１０３、評価結果１０４、及び評価位置情報１０５を有していればよく、その他の項目は省略されてもよい。
【００７８】
［電子書籍の評価結果の表示方法］
図６を用いて、複数の第２通信端末３００によって評価された評価結果を第１通信端末２００に表示する方法について説明する。図６は、本発明の一実施形態に係る電子書籍提供システムにおいて、他のユーザの評価結果を、電子書籍を閲覧するユーザに提供する方法を示す図である。
【００７９】
図６に示すように、コミックデータ５００は、一方向において第１通信端末２００のディスプレイ２４０を越える長手を有している。この例では、コミックデータ５００は、縦方向においてディスプレイ２４０の縦方向の幅を超える長手を有している。つまり、コミックデータ５００は、縦方向（図６の矢印方向）にスクロール移動可能なデータである。図６では、コミックデータ５００のうち、ディスプレイ２４０に表示されている領域は実線で描かれ、ディスプレイ２４０に表示されていない領域は点線で描かれている。また、説明の便宜上、コミックデータ５００の横方向の幅がディスプレイ２４０の横方向の幅より狭い構成を例示したが、両者の横幅は同じであってもよい。
【００８０】
コミックデータ５００は、上記のように縦方向に長手を有するイメージデータであり、当該イメージデータには少なくとも１つのシーン５１０が含まれている。シーン５１０は、既に複数の第２通信端末３００によって評価されており、これらの評価は、シーン５１０に対して複数の評価点５１１でなされている。つまり、シーン５１０に対して、複数の評価結果が関連付けられている。
【００８１】
基準線２４１は、ディスプレイ２４０の上下方向のある領域に設定された水平方向に延びる線である。この例では、基準線２４１はディスプレイ２４０の上下方向の中央線である。図６は、コミックデータ５００を矢印方向にスクロールし、評価点５１１が基準線２４１に達した状態を示している。なお、図６では、１つのコミックデータ５００に１つのシーン５１０が設けられた構成を図示したが、実際には１つのコミックデータ５００に複数のシーン５１０が設けられている。
【００８２】
評価点５１１が基準線２４１に到達すると、ディスプレイ２４０の一部に設けられた評価結果表示部６００において、複数の第２通信端末３００によって選択された複数の評価結果６１０が表示される。評価結果６１０の表示は、評価点５１１が基準線２４１を通過する向きによって制御されてもよい。例えば、評価点５１１が基準線２４１を下から上に通過した場合に、当該評価点５１１に関連する評価結果６１０を評価結果表示部６００に表示し、評価点５１１が基準線２４１を上から下に通過した場合は、当該評価点５１１に関連する評価結果６１０の表示をしなくてもよい。
【００８３】
換言すると、評価点５１１が基準線２４１に到達したときのスクロール方向が上方だった場合には評価結果の表示を行い、このときのスクロール方向が下方だった場合には評価結果の表示を行わなくてもよい。さらに換言すると、評価結果６１０は、ディスプレイ２４０上のコミックデータ５００のスクロールに応じて表示される。評価点５１１が基準線２４１に到達することで開始される評価結果６１０の表示は、シーン５１０に対してなされた全ての評価結果が表示されるまで行われてもよく、評価点５１１が基準線２４１の次の基準線に到達するまで行われてもよい。つまり、評価点５１１が２つの基準線に挟まれた範囲内にあるときに、評価結果の表示を行ってもよい。
【００８４】
図６の例では、評価結果表示部６００はディスプレイ２４０の上端付近に設けられている。また、評価結果６１０は、評価結果表示部６００の一端から他端へ向かって移動している。この例では、複数の評価結果６１０が、評価結果表示部６００の一端から順次現れ、評価結果表示部６００の他端に順次消える。図６の例では、複数の評価結果６１０は、評価結果表示部６００の右端から順次現れて左端に消えている。つまり、評価結果６１０の動く方向は、コミックデータ５００のスクロール方向に直交する方向である。評価結果表示部６００は、予め表示されていてもよく、評価点５１１が基準線２４１に到達した場合に現れてもよい。
【００８５】
なお、ディスプレイ２４０における評価結果表示部６００の表示位置は、スクロール方向によって変更されてもよい。例えば、コミックデータ５００が上方にスクロールされる場合は、評価結果表示部６００はディスプレイ２４０の上端付近に表示され、コミックデータ５００が下方にスクロールされる場合は、評価結果表示部６００はディスプレイ２４０の下端付近に表示されてもよい。また、評価結果６１０の動きは、スクロール方向によって変更されてもよい。スクロール方向が左右方向の場合、評価結果６１０は上下方向に動いてもよい。このとき、評価結果表示部６００は、ディスプレイ２４０の左右の端部付近で上下方向に長手を有する形状に変更される。
【００８６】
評価結果６１０はアイコンで表示されている。評価結果６１０は、読者の感情を示す属性毎に、異なるアイコン（「楽アイコン６１１」、「喜アイコン６１３」、「哀アイコン６１５」、及び「怒アイコン６１７」）を有している。つまり、図６の例では、評価結果６１０として、喜怒哀楽の属性の異なる複数の評価結果が設定されている。そして、複数の評価結果に対して、それぞれ異なるアイコンが割り当てられている。
【００８７】
基準線２４１は、ディスプレイ２４０の上下方向の中央付近に設定されていなくてもよい。基準線２４１は、ディスプレイ２４０の下方の領域に設定されていてもよく、上方の領域に設定されていてもよい。
【００８８】
図６の例では、評価結果６１０が評価結果表示部６００の右端から現れ、右から左へ移動し、評価結果表示部６００の左端に消える構成を例示したが、この構成に限定されない。例えば、図６の例とは左右が逆に動いてもよい。又は、評価結果６１０がディスプレイ２４０の右端又は左端で上下方向に移動し、上下の一方から現れ、他方に消えてもよい。又は、評価結果６１０がディスプレイ２４０の上下方向における中央付近で左右方向に移動してもよい。又は、評価結果６１０がディスプレイ２４０の左右方向における中央付近で上下方向に移動してもよい。又は、評価結果６１０がディスプレイ２４０上を移動せず、任意の箇所において現れてその場で消えてもよい。
【００８９】
評価結果６１０はアイコン以外の方法で表示されてもよい。また、評価結果６１０は喜怒哀楽以外の属性を有していてもよい。また、評価結果表示部６００に複数の評価結果が表示される場合、上記のように、評価日時、第１通信端末２００及び第２通信端末３００のＧＰＳにおける位置情報、第２通信端末３００のＩＤ、又は第２通信端末３００を使用するユーザのＩＤに基づいて、表示される評価結果の順序が決められてもよい。
【００９０】
［電子書籍の評価方法］
図７Ａ〜図８を用いて、第２通信端末３００を用いた電子書籍の評価方法について説明する。図７Ａ〜図８は、本発明の一実施形態に係る電子書籍提供システムにおいて、電子書籍を閲覧するユーザに対して、電子書籍の評価を入力するための手段を提供する方法を示す図である。
【００９１】
図７Ａに示すように、コミックデータ５００がディスプレイ３４０上で矢印方向にスクロールされ、シーン５１０がディスプレイ３４０上に表示されると、評価実施ボタン６２０がディスプレイ３４０上に現れる。図７Ａの例では、評価実施ボタン６２０はディスプレイ３４０の右上に現れている。なお、さらにコミックデータ５００がさらに矢印方向にスクロールされ、シーン５１０がディスプレイ３４０から消えると、評価実施ボタン６２０は消える。つまり、シーン５１０は、その上端及び下端を示す位置情報を有している。そして、シーン５１０の上端及び下端を示す位置情報とディスプレイ３４０に表示されている領域との位置関係に基づいて、評価実施ボタン６２０の表示の有無が切り替えられる。なお、シーン５１０の上端及び下端を示す位置情報の代わりに、シーン５１０に関連付けられた任意の代表点が用いられてもよい。
【００９２】
図７Ａのようにディスプレイ３４０上に評価実施ボタン６２０が表示された状態で、評価実施ボタン６２０をタッチする又はカーソル６９０を用いて評価実施ボタン６２０を選択することで、図７Ａの画面から図８の画面に遷移する。なお、評価実施ボタン６２０が選択されると、その時点におけるシーン５１０の位置が解析され、評価位置情報が生成される。例えば、評価実施ボタン６２０が選択された時点の、ディスプレイ３４０の上下方向における中央位置５１３が評価位置情報として生成される。もちろん、この方法に限定されず、多様な解析方法でシーン５１０の評価位置情報が生成される。例えば、図７Ｂに示すように、コミックデータ５００が、その長手方向に複数に分割されており、各々の分割部５１５に対して評価結果が関連付けられていてもよい。具体的には、図７Ｂの例であれば、評価位置情報は、中央位置５１３を含む分割部５１５−１の領域に相当する。つまり、評価位置情報として、評価結果毎に個別の座標を割り当てるのではなく、一定の幅を有した領域を割り当ててもよい。
【００９３】
図８に示すように、図７Ａの評価実施ボタン６２０を選択すると、評価選択部６３０がディスプレイ３４０上に現れる。評価選択部６３０が現れている間、シーン５１０は非アクティブとなり、例えばグレー表示される。評価選択部６３０には、図６の評価結果６１０と同様に、「楽アイコン６３１」、「喜アイコン６３３」、「哀アイコン６３５」、及び「怒アイコン６３７」が設定されている。これらのアイコンのいずれかをタッチする又はカーソル６９０を用いて選択することで、シーン５１０に対する評価がなされる。
【００９４】
図８の評価選択部６３０の選択によってなされた評価結果は、図７Ａで生成されたシーン５１０の評価位置情報と共に電子書籍提供サーバ１００に送信される。そして、これらの評価結果及び評価位置情報に基づいて、図６で示すような、評価結果の表示が行われる。
【００９５】
以上のように、第１実施形態に係る電子書籍提供システム１０によると、コミックデータ５００に含まれるシーン５１０に対する評価結果を、アイコンのような画像を用いて行うことができる。また、他の複数のユーザによってなされたシーン５１０に対する評価結果を、表示することができる。このように、電子書籍に対する他のユーザの評価結果を視認しやすい形態でユーザに提供することができる。特に、スクロールタイプの電子書籍では、各シーンをシームレスで閲覧することができる点において、読者に閲覧しやすさ及び没入感を提供できるという利点がある。しかし、従来のように、付加情報をコメント形式で表示する場合、上記の利点が半減してしまうという問題があった。本実施形態に係る電子書籍提供システム１０によれば、上記のようなスクロールタイプの電子書籍であっても、読者への閲覧しやすさ及び没入感を損なうことなく、電子書籍に対する評価結果を表示することができる。
【００９６】
なお、上記の説明では、上記の構成が電子書籍提供サーバ１００の機能として実現される構成を、第１通信端末２００及び第２通信端末３００のプログラムによって実現されてもよい。これは、以下の実施形態についても同様に通信端末のプログラムで実現することができる。
【００９７】
本実施形態では、コミックデータに含まれるキャラクタ及びセリフが共にイメージデータで構成された例を示したが、コミックデータが、キャラクタなどのイメージデータとセリフなどのテキストデータとを個別に有していてもよい。この場合、イメージデータ及びテキストデータの各々はコミックデータにおける位置情報を有しており、各々の位置情報に基づいて、例えばイメージデータの吹出し位置にテキストデータを割り当てる。この場合、イメージデータ及びテキストデータの位置情報を用いて、評価結果の表示や評価実施ボタン６２０の表示を行ってもよい。
【００９８】
また、本実施形態では、評価実施ボタン６２０が選択された時点の、ディスプレイ３４０の上下方向における中央位置が評価位置情報として生成される構成を例示したが、この構成に限定されない。例えば、評価実施ボタン６２０を選択する前、又は評価選択部６３０を選択した後に、評価対象のシーン５１０又は評価対象のシーン５１０の任意の点を指定することで、評価位置情報を生成してもよい。
【００９９】
また、本実施形態では、第１通信端末２００に対して、評価結果が関連付けられたコミックデータを提供する構成を例示したが、この構成に限定されない。例えば、以下のように、電子書籍提供サーバ１００が第１通信端末２００に対して、コミックデータと評価結果とを個別に送信してもよい。
【０１００】
まず、電子書籍提供サーバ１００が第１通信端末２００に対してコミックデータのみを提供する。次に、第１通信端末２００において閲覧されているコミックデータにおける位置情報を第１通信端末２００から電子書籍提供サーバ１００に送信する。次に、その位置情報に関連する評価位置情報を、電子書籍提供サーバ１００から第１通信端末２００に評価結果が送信する。そして、その評価結果が第１通信端末２００の画面上で表示される。このようにして、電子書籍提供サーバ１００が第１通信端末２００に対して、コミックデータと評価結果とを個別に送信する。この構成によれば、第２通信端末３００によって評価された評価結果をリアルタイムで第１通信端末２００に表示することができる。
【０１０１】
〈第２実施形態〉
図９を用いて、第２実施形態に係る電子書籍提供システム１０Ａについて説明する。図９に示す電子書籍提供システム１０Ａは、図１〜図８に示す電子書籍提供システム１０と類似しているが、コミックデータ５００Ａの形態、及び評価結果を表示させる方法において、電子書籍提供システム１０と相違する。以下の実施形態の説明において、第１実施形態と同様の構成については説明を省略し、両者の相違点について説明する。
【０１０２】
図９は、本発明の一実施形態に係る電子書籍提供システムにおいて、他のユーザの評価結果を、電子書籍を閲覧するユーザに提供する方法を示す図である。図９に示すように、コミックデータ５００Ａは、縦方向及び横方向において、第１通信端末２００Ａのディスプレイ２４０Ａのサイズを越えるデータサイズを有している。つまり、コミックデータ５００Ａは、縦方向及び横方向（図９の上下左右の矢印方向）にスクロール移動可能なデータである。図９において、ディスプレイ２４０Ａの外枠の外側において点線で描かれている領域が、コミックデータ５００Ａの外縁である。
【０１０３】
コミックデータ５００Ａは、複数のシーン５１０Ａを含んでいる。図９では、複数のシーン５１０Ａのうち、第１シーン５１０Ａ−１、第２シーン５１０Ａ−２、及び第３シーン５１０Ａ−３がディスプレイ２４０Ａに表示されている。これらのシーン５１０Ａは、既に複数の第２通信端末３００Ａによって評価されており、これらの評価は、シーン５１０Ａ（５１０Ａ−１、５１０Ａ−２、及び５１０Ａ−３）の各々に対して複数の評価点５１１Ａ（５１１Ａ−１、５１１Ａ−２、及び５１１Ａ−３）でなされている。つまり、シーン５１０Ａに対して、複数の評価結果が関連付けられている。なお、本実施形態では、コミックデータ５００Ａが上下左右にスクロール移動可能なので、評価点５１１Ａは上下方向の評価位置情報（ｙ座標）だけでなく、左右方向の評価位置情報（ｘ座標）も有している。
【０１０４】
基準線２４５Ａは、ディスプレイ２４０Ａの一部の領域を囲む線である。この例では、基準線２４５Ａは、ディスプレイ２４０Ａの中央を中心とした円状に設けられている。図９は、コミックデータ５００Ａをスクロールし、第１シーン５１０Ａ−１の評価点５１１Ａ−１が、基準線２４５によって囲まれた領域に位置した状態を示している。
【０１０５】
評価点５１１Ａ−１が基準線２４５Ａによって囲まれた領域に位置すると、ディスプレイ２４０Ａの一部に設けられた評価結果表示部６００Ａにおいて、第１シーン５１０Ａ−１に対してなされた複数の評価結果６１０Ａが表示される。ここで、評価点５１１Ａ−２が基準線２４５Ａによって囲まれた領域に位置すると、評価結果表示部６００Ａには第２シーン５１０Ａ−２に対してなされた複数の評価結果６１０Ａが表示される。また、評価点５１１Ａ−３が基準線２４５Ａによって囲まれた領域に位置すると、評価結果表示部６００Ａには第３シーン５１０Ａ−３に対してなされた複数の評価結果６１０Ａが表示される。なお、隣接する評価点５１１Ａの距離（例えば、最も近い評価点５１１Ａ−１と評価点５１１Ａ−２との間の距離）が、基準線２４５Ａによって形成される円の直径よりも短い場合、当該円の直径が小さくなるように、基準線２４５Ａの配置が自動的に変更されてもよい。
【０１０６】
なお、本実施形態では、シーン５１０Ａ毎に評価結果を表示する構成を例示したが、この構成に限定されない。例えば、評価点５１１Ａが基準線２４５に含まれていれば、異なるシーン５１０Ａの評価結果を表示してもよい。
【０１０７】
以上のように、第２実施形態に係る電子書籍提供システム１０Ａによると、第１実施形態に係る電子書籍提供システム１０と同様に、電子書籍に対する他のユーザの評価結果を視認しやすい形態でユーザに提供することができる。
【０１０８】
〈第３実施形態〉
図１０を用いて、第３実施形態に係る電子書籍提供システム１０Ｂについて説明する。図１０に示す電子書籍提供システム１０Ｂは、図１〜図８に示す電子書籍提供システム１０と類似しているが、評価結果を表示させる方法において、電子書籍提供システム１０と相違する。以下の実施形態の説明において、第１実施形態と同様の構成については説明を省略し、両者の相違点について説明する。
【０１０９】
図１０は、本発明の一実施形態に係る電子書籍提供システムにおいて、他のユーザの評価結果を、電子書籍を閲覧するユーザに提供する方法を示す図である。図１０では、図６のように基準線２４１は設けられておらず、シーン５１０Ｂについてなされた評価点５１１Ｂの位置がディスプレイ２４０Ｂの領域に含まれている間、評価結果表示部６００Ｂにおいて、シーン５１０Ｂに対してなされた複数の評価結果６１０Ｂが表示される。つまり、本実施形態では、シーン５１０Ｂがディスプレイ２４０Ｂに表示されている間、シーン５１０Ｂに対してなされた複数の評価結果６１０Ｂが評価結果表示部６００Ｂに表示される。上記の構成を換言すると、複数の評価結果６１０Ｂは、第２通信端末３００Ｂによって評価がなされた、コミックデータ５００Ｂにおける評価位置情報を含み、当該評価位置情報に係る位置が第１通信端末２００Ｂのディスプレイ２４０Ｂの所定の範囲にある場合に、上記評価位置情報に関連する複数の評価結果６１０Ｂが表示される。
【０１１０】
以上のように、第３実施形態に係る電子書籍提供システム１０Ｂによると、第１実施形態に係る電子書籍提供システム１０と同様に、電子書籍に対する他のユーザの評価結果を視認しやすい形態でユーザに提供することができる。また、電子書籍の閲覧者は、シーン５１０Ｂが一部でもディスプレイ２４０Ｂに表示されれば、そのシーン５１０Ｂが現在の画面に表示されている画像として認識する場合が多いため、閲覧者にとって自然なタイミングで評価結果の表示を行うことができる。
【０１１１】
なお、上記の例では、シーン５１０Ｂがディスプレイ２４０Ｂに現れ始めてから完全に消えるまで、シーン５１０Ｂに対してなされた複数の評価結果６１０Ｂが表示される構成を例示したが、この構成に限定されない。評価結果６１０Ｂの表示は、上記の例よりも早い段階で終了してもよい。つまり、シーン５１０Ｂがまだディスプレイ２４０Ｂに表示されている状態で、評価結果６１０Ｂの表示が終了してもよい。例えば、次のイメージデータがディスプレイ２４０Ｂに現れ始めたときに、現在表示されているシーン５１０Ｂの評価結果６１０Ｂの表示が終了し、次のイメージデータの評価結果の表示が開始されてもよい。
【０１１２】
〈第４実施形態〉
図１１を用いて、第４実施形態に係る電子書籍提供システム１０Ｄについて説明する。図１１に示す電子書籍提供システム１０Ｄは、図１〜図８に示す電子書籍提供システム１０と類似しているが、評価結果を表示させる方法において、電子書籍提供システム１０と相違する。以下の実施形態の説明において、第１実施形態と同様の構成については説明を省略し、両者の相違点について説明する。
【０１１３】
図１１は、本発明の一実施形態に係る電子書籍提供システムにおいて、他のユーザの評価結果を、電子書籍を閲覧するユーザに提供する方法を示す図である。図１１では、図６のように基準線２４１は設けられておらず、シーン５１０Ｄがディスプレイ２４０Ｄに表示され始める前に、評価結果表示部６００Ｄにおいて、シーン５１０Ｄに対してなされた複数の評価結果６１０Ｄが表示される。つまり、本実施形態では、シーン５１０Ｄに対してなされた評価点５１１Ｄ−１よりもさらに上の位置に、評価点５１１Ｄ−１に基づいて設定された仮想評価点５１１Ｄ−２が設けられている。仮想評価点５１１Ｄ−２がディスプレイ２４０Ｄの領域に含まれている間、評価点５１１Ｄ−１に対してなされた複数の評価結果６１０Ｄが評価結果表示部６００Ｄに表示される。このように、本実施形態では、第２通信端末３００Ｄによって評価された位置と、第１通信端末２００Ｄに表示するための基準となる位置とが異なっている。
【０１１４】
なお、図１１では、仮想評価点５１１Ｄ−２が評価点５１１Ｄ−１の上方に設けられた構成を例示したが、この構成に限定されない。例えば、仮想評価点５１１Ｄ−２は評価点５１１Ｄ−１の下方に設けられていてもよく、両者の位置関係がスクロール移動の方向によって切り替えられてもよい。例えば、コミックデータ５００Ｄが上方にスクロールされる場合は、仮想評価点５１１Ｄ−２が評価点５１１Ｄ−１の上方に位置し、コミックデータ５００Ｄが下方にスクロールされる場合は、仮想評価点５１１Ｄ−２が評価点５１１Ｄ−１の下方に位置してもよい。また、仮想評価点５１１Ｄ−２と評価点５１１Ｄ−１との距離がスクロール移動の速度によって変化してもよい。上記の構成を換言すると、複数の評価結果６１０Ｄは、第２通信端末３００Ｄによって評価がなされた、コミックデータ５００Ｄにおける評価位置情報を含み、当該評価位置情報に係る位置が第１通信端末２００Ｄのディスプレイ２４０Ｄの所定の範囲にある場合に、上記評価位置情報に関連する複数の評価結果６１０Ｄが表示される。
【０１１５】
以上のように、第４実施形態に係る電子書籍提供システム１０Ｄによると、第１実施形態に係る電子書籍提供システム１０と同様に、電子書籍に対する他のユーザの評価結果を視認しやすい形態でユーザに提供することができる。また、電子書籍の閲覧者は、シーン５１０Ｄがディスプレイ２４０Ｄに表示される直前に、そのシーン５１０Ｄに関連する予想を膨らませている場合が多いため、閲覧者の期待に対して同期するような評価結果の表示を行うことができる。
【０１１６】
〈第５実施形態〉
図１２を用いて、第５実施形態に係る電子書籍提供システム１０Ｅについて説明する。図１２に示す電子書籍提供システム１０Ｅは、図１〜図８に示す電子書籍提供システム１０と類似しているが、電子書籍の評価を入力するための手段を提供する方法において、電子書籍提供システム１０と相違する。以下の実施形態の説明において、第１実施形態と同様の構成については説明を省略し、両者の相違点について説明する。
【０１１７】
図１２は、本発明の一実施形態に係る電子書籍提供システムにおいて、電子書籍を閲覧するユーザに対して、電子書籍の評価を入力するための手段を提供する方法を示す図である。図１２では、図７Ａのようにシーン５１０とディスプレイ３４０に表示されている領域との位置関係に基づいて評価実施ボタン６２０を表示させるのではなく、評価実施ボタン６２０Ｅが常時ディスプレイ３４０Ｅに表示されている。つまり、第２通信端末３００Ｅの操作によって、任意のタイミングで評価を行うことができる。図１２に示すように、シーン５１０Ｅがディスプレイ３４０Ｅに表示された状態で、評価実施ボタン６２０Ｅを選択すると、図８と同様の評価選択部が表示され、シーン５１０Ｅの評価を選択することができる。
【０１１８】
以上のように、第５実施形態に係る電子書籍提供システム１０Ｅによると、第１実施形態に係る電子書籍提供システム１０と同様に、電子書籍に対する評価を、認識しやすい形態で、評価したいタイミングで評価者に提供することができる。
【０１１９】
〈第６実施形態〉
図１３を用いて、第６実施形態に係る電子書籍提供システム１０Ｆについて説明する。図１３に示す電子書籍提供システム１０Ｆは、図１〜図８に示す電子書籍提供システム１０と類似しているが、電子書籍の評価を入力するための手段を提供する方法において、電子書籍提供システム１０と相違する。以下の実施形態の説明において、第１実施形態と同様の構成については説明を省略し、両者の相違点について説明する。
【０１２０】
図１３は、本発明の一実施形態に係る電子書籍提供システムにおいて、電子書籍を閲覧するユーザに対して、電子書籍の評価を入力するための手段を提供する方法を示す図である。図１３では、図７Ａのようにシーン５１０とディスプレイ３４０に表示されている領域との位置関係に基づいて評価実施ボタン６２０を表示させるのではなく、シーン５１０Ｆが２つの基準線２４３Ｆの間に位置するときに、自動的に評価選択部６３０が表示される。
【０１２１】
なお、本実施形態では、シーン５１０Ｆの一部が２つの基準線２４３Ｆの間に位置するときに、評価選択部６３０Ｆがディスプレイ３４０Ｆに半透明で表示され（図１３の（Ａ））、アイコンを選択する又は選択しようとすると、評価選択部６３０Ｆの背景が不透明になり、評価選択部６３０Ｆの各アイコンがアクティブで表示される（図１３の（Ｂ））。このようにして、各アイコンの選択が可能になる。なお、シーン５１０Ｆに関連付けられた代表点が２つの基準線２４３Ｆの間に位置するときに評価選択部６３０Ｆが表示されてもよい。
【０１２２】
以上のように、第６実施形態に係る電子書籍提供システム１０Ｆによると、第１実施形態に係る電子書籍提供システム１０と同様に、電子書籍に対する評価を、認識しやすい形態で、評価したいタイミングで評価者に提供することができる。
【０１２３】
〈第７実施形態〉
図１４及び図１５を用いて、第７実施形態に係る電子書籍提供システム１０Ｇについて説明する。図１４及び図１５に示す電子書籍提供システム１０Ｇは、図１〜図８に示す電子書籍提供システム１０と類似しているが、電子書籍の評価を入力するための手段を提供する方法において、電子書籍提供システム１０と相違する。以下の実施形態の説明において、第１実施形態と同様の構成については説明を省略し、両者の相違点について説明する。
【０１２４】
図１４及び図１５は、本発明の一実施形態に係る電子書籍提供システムにおいて、電子書籍を閲覧するユーザに対して、電子書籍の評価を入力するための手段を提供する方法を示す図である。図１４及び図１５では、図７Ａのようにシーン５１０とディスプレイ３４０に表示されている領域との位置関係に基づいて評価実施ボタン６２０を表示させるのではなく、評価実施ボタン６２０に代えてユーザのジェスチャ入力によって評価選択部６３０Ｇを表示させる。
【０１２５】
図１４に示すように、ディスプレイ３４０Ｇに評価対象のシーン５１０Ｇが表示された状態で、ディスプレイ３４０Ｇでジェスチャ入力を行う（図１４の（Ａ））。この例では、ジェスチャ入力で円を描くことで（カーソル６９０Ｇの動作を参照）、円形の評価選択部６３０Ｇが表示されている（図１４の（Ｂ））。つまり、ジェスチャ入力の入力形状に対応した形状の評価選択部６３０Ｇが表示される。
【０１２６】
図１５に示すように、ディスプレイ３４０Ｇにおけるジェスチャ入力で「Ｚ」の文字を描くことで、図１４とは異なる形の評価選択部６３０Ｇを表示することができる。なお、図１４の評価選択部６３０Ｇと図１５の評価選択部６３０Ｇとを比較すると、図１５には「楽アイコン６３１Ｇ」及び「喜アイコン６３３Ｇ」などの一部の属性の評価結果が表示されていない。つまり、ジェスチャ入力の方法によって、表示する評価選択部６３０Ｇの形状、及び評価選択部６３０Ｇに表示されるアイコンの属性を変えることができる。
【０１２７】
なお、評価選択部６３０Ｇの形状はジェスチャ入力の入力形状に対応している必要はなく、円を描くジェスチャ入力に対して、図８に示すような評価選択部６３０が表示されてもよい。評価選択部６３０Ｇが現れている間、シーン５１０Ｇは非アクティブとなり、例えばグレー表示される。
【０１２８】
以上のように、第７実施形態に係る電子書籍提供システム１０Ｇによると、第１実施形態に係る電子書籍提供システム１０と同様に、電子書籍に対する評価を、認識しやすい形態で、評価したいタイミングで評価者に提供することができる。また、評価選択部６３０Ｇを表示させるためにジェスチャ入力を用いることで、画面上に評価実施ボタン６２０を表示させる必要がなく、画面上の煩わしい表示をなくすことができる。
【０１２９】
〈第８実施形態〉
図１６及び図１７を用いて、第８実施形態に係る電子書籍提供システム１０Ｈについて説明する。図１６及び図１７に示す電子書籍提供システム１０Ｈは、図１〜図８に示す電子書籍提供システム１０と類似しているが、電子書籍の評価結果の属性に対して色を割り当てる点において、電子書籍提供システム１０と相違する。以下の実施形態の説明において、第１実施形態と同様の構成については説明を省略し、両者の相違点について説明する。
【０１３０】
図１６は、本発明の一実施形態に係る電子書籍提供システムにおいて、電子書籍に対する評価結果の属性を示す図である。図１６に示すように、評価結果は、その評価結果に関連付けられた感情によって一次属性７１０Ｈ（喜び、信頼、恐れ、驚き、悲しみ、嫌悪、怒り、期待）に分類されている。各一次属性７１０Ｈには、その属性に応じて異なる色が割り当てられている。「喜び」には『黄色』、「信頼」には『黄緑色』、「恐れ」には『緑色』、「驚き」には『水色』、「悲しみ」には『青色』、「嫌悪」には『紫色』、「怒り」には『赤色』、「期待」には『橙色』がそれぞれ割り当てられている。また、各一次属性７１０Ｈの間に二次属性７２０Ｈ（愛、服従、畏怖、拒絶、後悔、軽蔑、攻撃、楽観）が設定されている。「喜び」と「信頼」との間には『愛』、「信頼」と［恐れ］との間には『服従』、「恐れ」と「驚き」との間には『畏怖』、「驚き」と「悲しみ」との間には『拒絶』、「悲しみ」と「嫌悪」との間には『後悔』、「嫌悪」と「怒り」との間には『軽蔑』、「怒り」と「期待」との間には『攻撃』、「期待」と「喜び」との間には『楽観』が、それぞれの二次属性７２０Ｈとして設定されている。
【０１３１】
なお、上記の一次属性７１０Ｈは、例えば図６の各アイコンの感情に相当する。図６の「楽アイコン６１１」は上記の「期待」に相当し、「喜アイコン６１３」は上記の「喜び」に相当し、「哀アイコン６１５」は上記の「悲しみ」に相当し、「怒アイコン６１７」は上記の「怒り」に相当する。一方、二次属性７２０Ｈは、第２通信端末３００によって選択されない感情を示す属性である。
【０１３２】
図１６において、隣接する一次属性７１０Ｈの数が同程度の場合に、これらを併せて二次属性７２０Ｈとして表現し、その二次属性７２０Ｈを評価結果として表示させてもよい。例えば、「喜び」の評価結果の数と「信頼」の評価結果の数とが同程度の場合、これらの評価結果を個別に表示するのではなく、これらの一次属性７１０Ｈから得られる『愛』という二次属性７２０Ｈを評価結果として表示させてもよい。なお、同程度とは、一方の評価の数に対する他方の評価の数が０．７倍以上１．３倍以下、０．８倍以上１．２倍以下、又は０．９倍以上１．１倍以下である。
【０１３３】
上記のように二次属性７２０Ｈを算出する場合、評価の正確性を高めるために、隣接する一次属性７１０Ｈの評価数が所定のしきい値を超えた場合に二次属性７２０Ｈを算出してもよい。例えば、一次属性７１０Ｈの評価数が１００未満の場合は、仮に隣接する一次属性７１０Ｈの数が上記の条件を満たしても、二次属性７２０Ｈは算出せず、隣接する両方の一次属性７１０Ｈの数が１００以上の場合に二次属性７２０Ｈを算出してもよい。なお、二次属性７２０Ｈを算出するためのしきい値は、当該システムの管理者によって設定されてもよく、評価結果を表示する通信端末のユーザによって設定されてもよい。当該しきい値をシステムの管理者が設定する場合、二次属性７２０Ｈの算出は電子書籍提供サーバ１００によって行われ、複数のユーザに対して同一の条件で上記の二次属性７２０Ｈを算出する。一方、上記しきい値を通信端末のユーザが設定する場合、二次属性７２０Ｈの算出は各通信端末によって行われ、通信端末に固有の条件で上記の二次属性７２０Ｈを算出する。
【０１３４】
図１７は、本発明の一実施形態に係る電子書籍提供システムにおいて、他のユーザの評価結果を、電子書籍を閲覧するユーザに提供する方法を示す図である。図１７に示す評価結果の表示方法は、図６に示す評価結果の表示方法と類似しているが、図１７では、他のユーザによってなされた評価結果が集計された集計結果６４０Ｈとして表示され、上記の一次属性７１０Ｈに割り当てられた色を用いて、その集計結果６４０Ｈを表示している点において、図６の表示方法と相違する。
【０１３５】
図１７に示すように、評価結果表示部６００Ｈには集計結果６４０Ｈが表示されている。集計結果６４０Ｈは、他のユーザによってなされた複数の評価結果を集計した結果である。図１７の例では、ディスプレイ２４０Ｈの表示領域に含まれる複数の評価結果の種別及び数に応じて棒グラフで表示されている。図１７の棒グラフでは、「楽アイコン６１１Ｈ」に係る評価結果が最も多く、続いて「喜アイコン６１３Ｈ」、「怒アイコン６１７Ｈ」が表示されている。また、図１７の棒グラフにおいて、「楽アイコン６１１Ｈ」の背景は「橙色」であり、「喜アイコン６１３Ｈ」の背景は「黄色」であり、「怒アイコン６１７Ｈ」の背景は「赤色」である。なお、集計結果６４０Ｈの集計対象となる評価結果の範囲は、上記の構成に限定されず、任意の領域を集計範囲とすることができる。
【０１３６】
つまり、図１７に示すように、第１通信端末２００Ｈのディスプレイ２４０Ｈには、複数の評価結果が集計された集計結果６４０Ｈが表示される。そして、その集計結果６４０Ｈは、上記のように一次属性７１０Ｈに対して割り当てられた色に関する情報を含んでいる。
【０１３７】
以上のように、第８実施形態に係る電子書籍提供システム１０Ｈによると、第１実施形態に係る電子書籍提供システム１０と同様に、電子書籍に対する評価を、認識しやすい形態で閲覧者に提供することができる。さらに、複数の評価結果を集計した集計結果を、色を用いて表示することで、さらに視認しやすい形態で閲覧者に評価結果を提供することができる。
【０１３８】
〈第９実施形態〉
図１８を用いて、第９実施形態に係る電子書籍提供システム１０Ｊについて説明する。図１８に示す電子書籍提供システム１０Ｊは、図１７に示す電子書籍提供システム１０Ｈと類似しているが、複数の評価結果を集計した集計結果を表示する方法において、電子書籍提供システム１０Ｈと相違する。以下の実施形態の説明において、第８実施形態と同様の構成については説明を省略し、両者の相違点について説明する。
【０１３９】
図１８は、本発明の一実施形態に係る電子書籍提供システムにおいて、他のユーザの評価結果を、電子書籍を閲覧するユーザに提供する方法を示す図である。図１８に示すように、評価結果表示部６００Ｊには、集計結果６４０Ｊが表示されている。集計結果６４０Ｊは、他のユーザによってなされた複数の評価結果を集計した結果である。図１８の例では、複数の評価結果の種別及び数に応じてアイコンの大きさが異なるように表示されている。図１８の例では、「楽アイコン６１１Ｊ」に係る評価結果の数が最も多いため、アイコンのサイズが最も大きく表示され、続いて「喜アイコン６１３Ｊ」、「怒アイコン６１７Ｊ」が、それぞれの評価結果の数に応じたアイコンのサイズで表示されている。ここで、「楽アイコン６１１Ｊ」が橙色、「喜アイコン６１３Ｊ」が黄色、「怒アイコン６１７Ｊ」が赤色で表示されていてもよい。
【０１４０】
以上のように、第９実施形態に係る電子書籍提供システム１０Ｊによると、第１実施形態に係る電子書籍提供システム１０と同様に、電子書籍に対する評価を、認識しやすい形態で閲覧者に提供することができる。さらに、複数の評価結果を集計した集計結果を、色を用いて表示することで、さらに視認しやすい形態で閲覧者に評価結果を提供することができる。
【０１４１】
〈第１０実施形態〉
図１９を用いて、第１０実施形態に係る電子書籍提供システム１０Ｋについて説明する。図１９に示す電子書籍提供システム１０Ｋは、図１〜図８に示す電子書籍提供システム１０と類似しているが、コミックデータがページ送りタイプのデータである点において、電子書籍提供システム１０と相違する。つまり、電子書籍提供システム１０Ｋの電子書籍は複数のページ（又は、複数のシーン）を有する。以下の実施形態の説明において、第１実施形態と同様の構成については説明を省略し、両者の相違点について説明する。
【０１４２】
図１９は、本発明の一実施形態に係る電子書籍提供システムにおいて、他のユーザの評価結果を、電子書籍を閲覧するユーザに提供する方法を示す図である。図１９に示すように、コミックデータ５００Ｋは、複数のページデータ６５０Ｋ（第１ページデータ６５１Ｋ、第２ページデータ６５３Ｋ、第３ページデータ６５５Ｋ）を有している。複数のページデータ６５０Ｋは、ディスプレイ２４０Ｋを左右にスワイプする、又はページ送り／戻しボタンを押すことで切り替えられる。図１９は、第２ページデータ６５３Ｋが表示された状態を示している。各ページデータには、コマ６６０Ｋが設けられている。
【０１４３】
図１９に示すように、評価結果表示部６００Ｋには、図６と同様に、複数の評価結果６１０Ｋが表示されている。複数の評価結果６１０Ｋは、第２ページデータ６５３Ｋに対してなされた評価結果であってもよく、第２ページデータ６５３Ｋに含まれるコマ６６０Ｋに対してなされた評価結果であってもよい。つまり、評価結果表示部６００Ｋに表示された複数の評価結果６１０Ｋは、１つのシーンに対してなされた、第２通信端末３００Ｋによる評価結果である。この評価結果は、評価が行われたシーンが表示された第１通信端末２００Ｋのディスプレイ２４０Ｋに、アイコンを用いて表示されている。評価結果６１０Ｋがコマ６６０Ｋに対してなされた評価結果である場合、評価結果６１０Ｋは、複数のコマ６６０Ｋに対してなされた評価結果の合計であってもよく、複数のコマ６６０Ｋのうち、選択されたコマ６６０Ｋに対してなされた評価結果の合計であってもよい。
【０１４４】
以上のように、第１０実施形態に係る電子書籍提供システム１０Ｋによると、第１実施形態に係る電子書籍提供システム１０と同様に、ページ送りタイプの電子書籍に対する評価であっても、認識しやすい形態で閲覧者に提供することができる。
【０１４５】
以上、本発明の一実施形態について図面を参照しながら説明したが、本発明は上記の実施形態に限られるものではなく、本発明の趣旨を逸脱しない範囲で適宜変更することが可能である。例えば、本実施形態の電子書籍提供システムを基にして、当業者が適宜構成要素の追加、削除もしくは設計変更を行ったものも、本発明の要旨を備えている限り、本発明の範囲に含まれる。さらに、上述した各実施形態は、相互に矛盾がない限り適宜組み合わせが可能であり、各実施形態に共通する技術事項については、明示の記載がなくても各実施形態に含まれる。
【０１４６】
上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【０１４７】
１０：電子書籍提供システム、  １００：電子書籍提供サーバ、  １０２：データベース、  １１０：サーバ制御部、  １２０：サーバ記憶部、  １３０：サーバ通信部、  １５１：コミックデータ提供部、  １５３：評価選択手段提供部、  １５５：評価結果受信部、  １５７：評価位置検知部、  １５９：評価結果表示部、  ２００：第１通信端末、  ２１０：端末記憶部、  ２２０：端末制御部、  ２３０：端末通信部、  ２４０：ディスプレイ、  ２４１：基準線、  ２４３：基準線、  ２４５：基準線、  ２５０：操作ボタン、  ２６０：カメラ、  ２７０：スピーカ、  ２８０：マイク、  ２９１：表示部、  ２９３：スクロール制御部、  ２９５：評価結果受付部、  ３００：第２通信端末、  ４００：ネットワーク、  ５００：コミックデータ、  ５１０：シーン、  ５１０Ａ−１：第１シーン、  ５１０Ａ−２：第２シーン、  ５１０Ａ−３：第３シーン、  ５１１：評価点、  ５１３：中央位置、  ５１５：分割部、  ６００：評価結果表示部、  ６１０：評価結果、  ６１１：楽アイコン、  ６１３：喜アイコン、  ６１５：哀アイコン、  ６１７：怒アイコン、  ６２０：評価実施ボタン、  ６３０：評価選択部、  ６３１：楽アイコン、  ６３３：喜アイコン、  ６３５：哀アイコン、  ６３７：怒アイコン、  ６４０Ｈ：集計結果、  ６５０Ｋ：ページデータ、  ６５１Ｋ：第１ページデータ、  ６５３Ｋ：第２ページデータ、  ６５５Ｋ：第３ページデータ、  ６６０Ｋ：コマ、  ６９０：カーソル
【図１】
2020098243.tif 000003
【図２Ａ】
2020098243.tif 000004
【図２Ｂ】
2020098243.tif 000005
【図３Ａ】
2020098243.tif 000006
【図３Ｂ】
2020098243.tif 000007
【図４】
2020098243.tif 000008
【図５】
2020098243.tif 000009
【図６】
2020098243.tif 000010
【図７Ａ】
2020098243.tif 000011
【図７Ｂ】
2020098243.tif 000012
【図８】
2020098243.tif 000013
【図９】
2020098243.tif 000014
【図１０】
2020098243.tif 000015
【図１１】
2020098243.tif 000016
【図１２】
2020098243.tif 000017
【図１３】
2020098243.tif 000018
【図１４】
2020098243.tif 000019
【図１５】
2020098243.tif 000020
【図１６】
2020098243.tif 000021
【図１７】
2020098243.tif 000022
【図１８】
2020098243.tif 000023
【図１９】
2020098243.tif 000024